(57)【要約】【課題】装置構成がシンプルで、中和剤の充填量を必要最小限に抑制できると共に、中和剤の充填作業を容易に実施可能な中和装置、並びに、当該中和装置を備えた潜熱回収型給湯装置の提供を目的とした。【解決手段】中和装置５０は、導入部５１および排出部５２の間に中和剤を収容可能な中和剤収容部５３を有する。中和剤収容部５３は、主要部がゴムなどの可撓性素材で形成されており、これを屈曲させて形成された下向屈曲部６０と、上向屈曲部６１、連接部６２を有する。中和装置５０は、下向屈曲部６０に所定の水位以上までドレンや上水などの液体を溜めることにより、燃焼ガス等の気体が通過不可能な水封状態とすることができる。【選択図】図３
2010029811.tif 000002
【特許請求の範囲】
【請求項１】
ドレンを導入するための導入部と、
中和されたドレンを排出するための排出部と、
前記導入部および前記排出部に接続され、ドレンを中和可能な中和剤を収容可能な中和剤収容部と、を有し、
当該中和剤収容部は、一部又は全部が可撓性を有する可撓性素材で形成されており、当該可撓性素材で形成された部分に所定の液位まで液体を溜めることにより、気体の通過を阻止可能なように屈曲させた状態で前記導入部および排出部に接続されていることを特徴とする中和装置。
【請求項２】
中和剤収容部が、下方に向けて凸となるように屈曲した下向屈曲部を有し、
当該下向屈曲部の一部又は全部が可撓性素材によって形成されており、
前記下向屈曲部において所定の液位まで液体を溜めることにより、気体の通過を阻止可能であることを特徴とする請求項１に記載の中和装置。
【請求項３】
中和剤収容部が、下方に向けて凸となるように屈曲した下向屈曲部と、上方に向けて凸となるように屈曲した上向屈曲部と、を有し、
前記下向屈曲部において所定の液位まで液体を溜めることにより、気体の通過を阻止可能であり、
当該下向屈曲部に対して液体を補充するための補充口が、前記上向屈曲部に設けられていることを特徴とする請求項１又は２に記載の中和装置。
【請求項４】
導入部には、気体の通過を阻止可能な状態とすることができる液位まで中和剤収容部内に液体が溜まっているか否かを検知可能な水位センサが取り付けられていることを特徴とする請求項１〜３のいずれかに記載の中和装置。
【請求項５】
主として顕熱を回収して湯水を加熱可能な一次熱交換器と、
主として潜熱を回収して湯水を加熱可能な二次熱交換器と、
前記二次熱交換器における熱交換に伴って発生するドレンを排出可能なドレン排出管と、
外部の給水源から前記一次熱交換器および二次熱交換器に対して湯水を供給可能な入水管と、
中和装置と、を有し、
当該中和装置が、
ドレンを中和可能な中和剤を収容可能な中和剤収容部と、
当該中和剤収容部にドレンを導入するための導入部と、
前記中和剤収容部を通過したドレンを排出するための排出部と、を有し、
当該中和剤収容部の一部又は全部が、可撓性を有する可撓性素材で形成されており、当該可撓性素材で形成された部分が、所定の液位まで液体を溜めることにより、気体の通過を阻止可能となるように屈曲されていることを特徴とする潜熱回収型給湯装置。
【発明の詳細な説明】
【技術分野】
【０００１】
本発明は、ドレンを中和するための中和装置、並びに、当該中和装置を備えた潜熱回収型給湯装置に関する。
【背景技術】
【０００２】
従来より、燃焼により発生した高温の燃焼ガスが持つ顕熱だけでなく、潜熱まで回収可能とした、いわゆる潜熱回収式の給湯装置が提供されている。この種の給湯装置では、潜熱の回収に伴ってドレンが発生するが、このドレンが燃焼ガスにさらされると酸性度が高く、腐食性を有する液体となる。そのため、従来技術の潜熱回収式の給湯装置の多くは、ドレンを排出するためのドレン排出系統を燃焼ガス通路に連通するように設けると共に、ドレン排出系統の中途に下記特許文献１に開示されているような中和装置を設けた構成とし、ドレンを中和して排出することとしている。
【特許文献１】特許第４０３５９０９号
【発明の開示】
【発明が解決しようとする課題】
【０００３】
上記特許文献１に開示されている中和装置は、ブロー成形などによって形成された箱形の形状の容器内に中和剤を収容可能としたものであり、ドレンと中和剤との接触時間を長くすべく、複雑な形状の流路を持つ構成とされていた。しかし、従来技術の中和装置では、成形上の都合などにより、容器内に充填された中和剤のほぼ全てを中和に有効利用な形状の流路を形成するのは困難であった。そのため、従来技術の中和装置は、容器が必要以上に大きく、相当の設置スペースを要し、中和剤も過剰に充填しなければならないという問題があった。また、従来技術の中和装置のように、箱状の容器内に複雑な流路を形成した場合は、成形が困難であるばかりか、複雑に形成された流路内に中和剤を充填するために容器を揺するなどせねばならず、中和剤の充填作業の作業効率が低いという問題があった。
【０００４】
そこで、かかる知見に基づき、本発明は、装置構成がシンプルで、中和剤の充填量を必要最小限に抑制できると共に、中和剤の充填作業を容易に実施可能な中和装置、並びに、当該中和装置を備えた潜熱回収型給湯装置の提供を目的とした。
【課題を解決するための手段】
【０００５】
上記した課題を解決すべく提供される本発明の中和装置は、ドレンを導入するための導入部と、中和されたドレンを排出するための排出部と、前記導入部および前記排出部に接続され、ドレンを中和可能な中和剤を収容可能な中和剤収容部と、を有し、当該中和剤収容部は、一部又は全部が可撓性を有する可撓性素材で形成されており、当該可撓性素材で形成された部分に所定の液位まで液体を溜めることにより、気体の通過を阻止可能なように屈曲させた状態で前記導入部および排出部に接続されていることを特徴としている（請求項１）。
【０００６】
本発明の中和装置は、導入部および排出部に接続された中和剤収容部の一部又は全部が可撓性を有する可撓性素材で形成されている。そのため、本発明の中和装置は、中和剤の充填時に中和剤収容部を自由に屈曲させることができ、中和剤の充填作業を容易に実施できる。
【０００７】
本発明の中和装置は、中和剤収容部において可撓性素材で形成された部分を屈曲させることで液体を所定の液位まで溜めることにより気体の通過を阻止可能とされているため、装置構成がシンプルであり、製造も容易である。また、上記したような構成とすることにより、中和対象であるドレンが通る領域に中和剤を充填させることができるため、中和剤の充填量を最小限に抑制することができる。
【０００８】
また、上述したように、中和剤収容部の一部又は全部が可撓性素材で形成されている。そのため、本発明の中和装置は、例えば給湯装置のような他の装置類の内部に設置される場合に、この装置内にあるスペースを有効利用したレイアウトとなるように中和剤収容部を屈曲させることができる。
【０００９】
上述した本発明の中和装置は、中和剤収容部が、下方に向けて凸となるように屈曲した下向屈曲部を有し、当該下向屈曲部の一部又は全部が可撓性素材によって形成されており、前記下向屈曲部において所定の液位まで液体を溜めることにより、気体の通過を阻止可能なものであってもよい（請求項２）。
【００１０】
かかる構成によれば、下向屈曲部への中和剤の充填を容易に実施可能な中和装置を提供できる。
【００１１】
上述した本発明の中和装置は、中和剤収容部が、下方に向けて凸となるように屈曲した下向屈曲部と、上方に向けて凸となるように屈曲した上向屈曲部と、を有し、前記下向屈曲部において所定の液位まで液体を溜めることにより、気体の通過を阻止可能であり、当該下向屈曲部に対して液体を補充するための補充口が、前記上向屈曲部に設けられているものであってもよい（請求項３）。
【００１２】
かかる構成によれば、液体を所定の液位に達するまで補充口から下向屈曲部に対して供給することで、中和剤収容部を確実に気体の通過を阻止可能な中和装置を提供できる。
【００１３】
上述した本発明の中和装置は、導入部には、気体の通過を阻止可能な状態とすることができる液位まで中和剤収容部内に液体が溜まっているか否かを検知可能な水位センサが取り付けられていることが望ましい（請求項４）。
【００１４】
かかる構成によれば、中和剤収容部に気体の通過を阻止可能な液位まで液体が溜まっているか否かを適確に把握し、中和剤収容部を水封状態に維持可能な中和装置を提供できる。
【００１５】
本発明の潜熱回収型給湯装置は、主として顕熱を回収して湯水を加熱可能な一次熱交換器と、主として潜熱を回収して湯水を加熱可能な二次熱交換器と、前記二次熱交換器における熱交換に伴って発生するドレンを排出可能なドレン排出管と、外部の給水源から前記一次熱交換器および二次熱交換器に対して湯水を供給可能な入水管と、中和装置と、を有し、当該中和装置が、ドレンを中和可能な中和剤を収容可能な中和剤収容部と、当該中和剤収容部にドレンを導入するための導入部と、前記中和剤収容部を通過したドレンを排出するための排出部と、を有し、当該中和剤収容部の一部又は全部が、可撓性を有する可撓性素材で形成されており、当該可撓性素材で形成された部分が、所定の液位まで液体を溜めることにより、気体の通過を阻止可能となるように屈曲されていることを特徴としている（請求項５）。
【００１６】
本発明の潜熱回収型給湯装置が備える中和装置は、導入部および排出部に接続された中和剤収容部の一部又は全部が可撓性を有する可撓性素材で形成されており、中和剤の充填時に中和剤収容部を自由に屈曲させることができる。従って、本発明の潜熱回収型給湯装置は、中和装置に対する中和剤の充填作業を容易に実施できる。
【００１７】
本発明の潜熱回収型給湯装置が備える中和装置は、中和剤収容部において可撓性素材で形成された部分を屈曲させることにより、液体を所定の液位まで溜めることで気体の通過を阻止可能な構成とされている。そのため、本発明の潜熱回収型給湯装置は、中和装置の装置構成がシンプルであり、製造も容易である。また、上記したような構成とすることにより、中和装置において中和対象であるドレンが通る領域に中和剤を充填させることができ、充填された中和剤の大部分をドレンの中和のために有効利用できる。そのため、本発明の潜熱回収型給湯装置は、中和装置に充填される中和剤の充填量が最小限で済み、その分中和装置をコンパクト化することができる。
【００１８】
また、上述した中和装置は、中和剤収容部の一部又は全部が可撓性素材で形成されている。そのため、本発明の潜熱回収型給湯装置は、装置内に設けられたスペースにあわせて中和剤収容部を適宜変形させて収容することができる。従って、上記した構成によれば、潜熱回収型給湯装置内に設けられたスペースを中和装置の設置のために有効利用できる。
【発明の効果】
【００１９】
本発明によれば、装置構成がシンプルで、中和剤の充填量を必要最小限に抑制できると共に、中和剤の充填作業を容易に実施可能な中和装置、並びに、当該中和装置を備えた潜熱回収型給湯装置を提供できる。
【発明を実施するための最良の形態】
【００２０】
続いて、本発明の一実施形態に係る潜熱回収型給湯装置１（以下、単に給湯装置１とも称す）および中和装置５０について図面を参照しつつ詳細に説明する。給湯装置１は、燃焼部２（燃焼手段）と、一次熱交換器２０と、二次熱交換器３０と、中和装置５０とを備えた、いわゆる潜熱回収型の給湯装置であり、運転に伴って発生したドレンを中和装置５０において中和可能とされている。給湯装置１は、燃焼部２の下方に燃焼ケース３と、排気集合部５とを有する。また、燃焼部２の側方には、排気部６が設けられている。さらに、排気集合部５の下方には、中和装置５０が設けられている。燃焼ケース３および排気部６は、それぞれ給湯装置１の底側に設けられた排気集合部５に連通している。これにより、給湯装置１には、燃焼ケース３から排気集合部５を経て排気部６に至る、断面形状が略「Ｕ」字型となるように連通した空間が形成されている。
【００２１】
燃焼部２は、従来公知のいかなる燃焼装置を採用したものであってもよいが、本実施形態では、液体燃料を気化して燃焼ガスを生成し燃焼する、いわゆる気化式の燃焼装置が採用されている。そのため、燃焼部２は、従来公知の噴霧式の燃焼装置のように、液体燃料を噴霧ノズルから噴霧して燃焼する燃焼形態を採用したものに比べ、燃焼騒音が小さい。燃焼部２は、火炎を下方に設けられた燃焼ケース３側に向けて形成するように燃焼作動することができる。
【００２２】
燃焼ケース３は、燃焼部２に対して下方側に位置しており、燃焼部２における燃焼動作に伴って発生する高温の燃焼ガスが流れる部分（燃焼ガス通路）である。燃焼ケース３の周囲には、内部を流れる高温の燃焼ガスにより過度に高温となるのを防止すべく、水管１５が巻き付けられている。水管１５の一端側には接続口１６が設けられており、これに後に述べる配管３８が接続されている。また、水管１５の他端側は、後に詳述する一次熱交換器２０の一次入水口２５に接続されている。
【００２３】
燃焼ケース３の下端側の部分には、一次熱交換器２０が設けられている。一次熱交換器２０は、燃焼ケース３を流れてきた燃焼ガス中に含まれている顕熱を主として回収するためのものである。一次熱交換器２０は、いわゆるフィンアンドチューブ型の熱交換器によって構成されている。すなわち、一次熱交換器２０は、略「コ」字型に屈曲した一連の水管２１を有し、この水管２１が燃焼ケース３を横断するように挿通されている。水管２１には、多数のフィン２２が装着されている。一次熱交換器２０は、燃焼ケース３内を流れる高温の燃焼ガスとの熱交換により、水管２１内を流れる湯水を熱交換加熱することができる。
【００２４】
水管２１は、その一端側に一次出水口２３を有し、他端側に一次入水口２５を有する。一次出水口２３は、図示しない配管等を介してカラン等の湯水の供給先に接続されている。一方、一次入水口２５には、燃焼部２に巻き付けられた水管１５が接続されている。
【００２５】
排気集合部５は、燃焼ケース３の下方に配置され、燃焼ケース３に直接連通した部分である。排気集合部５は、給湯装置１の底側において給湯装置１の幅方向（図１において左右方向）に伸びる内部空間を有する。また、排気集合部５は、燃焼ケース３の側方に配された排気部６とも連通している。そのため、排気集合部５は、燃焼ケース３を下方に向けて流れる燃焼ガスを流入させるとともに、当該燃焼ガスを排気部６に向けて流出させる部分として機能する。すなわち、排気集合部５は、下方に向けて流れる燃焼ガスの流れ方向を上方に向けて折り返すための部分として機能する。
【００２６】
図１に示すように、排気部６は、外壁部材６ａによって四方を囲まれ、上下方向に連通した空間６ｂを有する。排気部６は、上端側に設けられた排気口６ｄには排気筒６ｃが接続されており、これを介して空間６ｂが外部雰囲気と連通している。また、排気部６内の空間６ｂは、下端側に設けられた導入口６ｅを介して排気集合部５と連通している。
【００２７】
図１〜図３に示すように、排気部６の空間６ｂ内には、二次熱交換器３０が配されている。二次熱交換器３０は、例えば多管式の熱交換器やプレート型の熱交換器、フィンアンドチューブ型の熱交換器など、いかなる形式の熱交換器によって構成されていてもよい。二次熱交換器３０は、二次入水口３５と二次出水口３６とを有する。二次熱交換器３０は、主として排気部６内を流れる燃焼ガスとの熱交換により、当該燃焼ガスに含まれている潜熱を回収するものである。二次入水口３５は、配管（図示せず）を介して給水源（図示せず）に接続されている。二次出水口３６は、配管３８を介して上記した一次熱交換器２０の接続口１６に接続されている。そのため、二次熱交換器３０は、二次入水口３５から流入した湯水を熱交換加熱して二次出水口３６から一次熱交換器２０側に向けて供給することができる。
【００２８】
また、排気部６の底部側には、ドレン排出口４７が設けられている。図１において二点鎖線で示すように、ドレン排出口４７は、排気集合部５の下方に設けられた中和装置５０に対して配管４８を介して接続されている。これにより、二次熱交換器３０から下方に設けられた受部４０に落下したドレンを導入口６ｅを迂回して中和装置５０に導くことができる。
【００２９】
図２や図３に示すように、中和装置５０は、導入部５１と、排出部５２と、中和剤収容部５３とを有する。中和装置５０は、導入部５１と排出部５２との間を中和剤収容部５３で接続した構造とされている。導入部５１は、樹脂等で形成され、一端側（以下、閉塞端とも称す）が閉塞され、他端側（以下、開口端とも称す）が開口した筒状の部材である。導入部５１の閉塞端には、接続口５５が設けられている。接続口５５には、上述した配管４８が接続されている。また、導入部５１の閉塞端には、水位センサ５６が取り付けられている。水位センサ５６は、給湯装置１の制御装置（図示せず）に接続されている。水位センサ５６は、中和装置５０内の水位を検出可能なように導入部５１の内側に向けて突出している。導入部５１の開口端は、中和剤収容部５３が接続される部分である。また、導入部５１の開口端は、中和剤収容部５３の外径とほぼ同一の開口径を有し、内側に中和剤収容部５３を接続するためのネジ溝（図示せず）が形成されている。
【００３０】
排出部５２は、上述した導入部５１とほぼ同様の構造とされている。具体的には、排出部５２は、樹脂等で形成され、一端側（以下、閉塞端とも称す）が閉塞され、他端側（以下、開口端とも称す）が開口した筒状の部材である。排出部５２の閉塞端には、中和した後のドレンを排出するための配管（図示せず）を接続するための接続口５７が設けられている。接続口５７には、中和されたドレンを排出するための配管５８が接続されている。排出部５２の開口端は、中和剤収容部５３の端部が接続される部分である。排出部５２の開口端は、中和剤収容部５３の外径とほぼ同一の開口径を有し、内周面に中和剤収容部５３を接続するためのネジ溝（図示せず）が設けられている。
【００３１】
中和剤収容部５３は、主要部がゴムなどの可撓性を有する素材（可撓性素材）で形成され、両端が開口した筒状の部材であり、中和剤を内部に収容した状態で屈曲させることができる。また、中和剤収容部５３の両端部には、上述した導入部５１や排出部５２の内周面に形成されたネジ溝（図示せず）と係合可能なネジ（図示せず）が形成されている。そのため、中和剤収容部５３は、上述した導入部５１や排出部５２に対して容易に接続および取り外し可能とされている。従って、中和剤収容部５３は、中和装置５０の組み立て時に、内部に中和剤を投入した後、適宜の形状に屈曲させた状態で導入部５１や排出部５２に接続することができる。
【００３２】
中和剤収容部５３は、中途に下方に向けて凸となるように屈曲させた下向屈曲部６０と、上方に向けて凸となるように屈曲させた上向屈曲部６１と、連接部６２と、を有する。中和剤収容部５３は、ドレンの流れ方向上流側から下向屈曲部６０、上向屈曲部６１、連接部６２の順で連続して設けられている。
【００３３】
下向屈曲部６０は、ドレンや水などの液体が溜まると気体が通過できない、いわゆる水封状態となる部分である。下向屈曲部６０の端部は、上述した導入部５１の開口端に差し込まれ、接続されている。上向屈曲部６１は、下向屈曲部６０に連続し、下向屈曲部６０と同様に中和剤が充填される部分である。上向屈曲部６１の頂部には、補充口６３が設けられており、これを介して外部から中和剤収容部５３内に水などの液体を補充することができる。本実施形態では、補充口６３には、外部の給水源に繋がる補液管６５が接続されており、補充口６３を介して上水を導入可能とされている。補充口６３を介して外部から上水を供給することにより、上水を下向屈曲部６０に供給し、水封状態とすることができる。連接部６２は、上向屈曲部６１の下流端に連続する部分であり、端部が上述した排出部５２の開口端に差し込まれ接続されている。連接部６２の内部にも、下向屈曲部６０や上向屈曲部６１と同様に中和剤が収容されている。
【００３４】
中和剤収容部５３の両端部、具体的には下向屈曲部６０の上流端および連接部６２の下流端と、上述した導入部５１や排出部５２との境界部には、フィルター６７が設けられている。フィルター６７には、未溶解状態の中和剤の平均粒径よりも小さな孔６８が多数設けられており、中和剤収容部５３から導入部５１や排出部５２に中和剤が漏出するのを防止できる。
【００３５】
続いて、給湯装置１の動作について説明する。給湯装置１は、図示しない流量センサ等により外部の給水源から二次熱交換器３０に向けて湯水が供給されてきたことが検知されると、燃焼部２が燃焼作動を開始する。燃焼部２における燃焼作動に伴って発生した燃焼ガスは、燃焼ケース３内を下方に向けて流れる。その後、燃焼ガスは、給湯装置１の底側に設けられた排気集合部５を通過し、排気部６の底面に設けられた導入口６ｅを介して排気部６側に抜ける。このようにして排気部６内に流入した燃焼ガスは、二次熱交換器３０において熱交換した後、外部に排気される。
【００３６】
一方、外部から供給されてきた湯水は、二次熱交換器３０に流入し、排気部６を流れる燃焼ガスとの熱交換により加熱される。また、二次熱交換器３０において熱交換加熱された湯水は、配管３８を介して一次熱交換器２０に供給され、さらに熱交換加熱される。
【００３７】
ここで、本実施形態の給湯装置１において、二次熱交換器３０では、主として燃焼ガス中に含まれている潜熱の回収が行われる。そのため、二次熱交換器３０において熱交換が行われると、燃焼ガス中に含まれている水分が凝集され、ドレンが発生する。二次熱交換器３０で発生したドレンは、排気部６内において下方に落下し、ドレン排出口４７を介して中和装置５０に向けて排出される。また、給湯装置１において、中和装置５０では、水位センサ５６により検知される水位が中和剤収容部５３を水封状態とするのに十分な液位まで水等の液体が達していない場合は、図示しない給水源から補液管６５を介して上水が適宜供給され、常に水封状態となるように維持されている。そのため、排気部６を流れる燃焼ガス等の気体は、中和装置５０には流れ込まない。
【００３８】
上記したようにして排気部６から排出されたドレンは、配管４８を介して中和装置５０の導入部５１に流入する。導入部５１に流入したドレンは、フィルター６７の孔６８を介して中和剤収容部５３に流入する。中和剤収容部５３内に流入したドレンは、下向屈曲部６０、上向屈曲部６１、並びに、連接部６２を順に流れると共に、これらの内部に収容されている中和剤との反応により中和される。中和剤収容部５３内において中和されたドレンは、連接部６２に接続された排出部５２を介して外部に排出される。
【００３９】
本実施形態の中和装置５０は、導入部５１および排出部５２に接続された中和剤収容部５３の主要部がゴムなどのような可撓性を有する可撓性素材で形成されている。そのため、中和装置５０は、中和剤収容部５３を中和剤の充填を行いやすい形状にした状態で中和剤の充填作業を行うことができる。よって、中和装置５０は、中和剤の充填作業を容易かつ効率よく行うことができる。
【００４０】
中和装置５０は、中和剤を充填した後、中和剤収容部５３を屈曲させて下向屈曲部６０や上向屈曲部６１、連接部６２を形成し、所定の水位までドレン等の液体を溜めることにより水封可能な状態とすることができる。そのため、中和装置５０は、従来技術のものに比べて格段に装置構成がシンプルであり、製造も容易に行える。また、中和装置５０は、例えば導入部５１や排出部５２から取り外した中和剤収容部５３を直線状に伸ばした状態で中和剤を充填する等することにより、中和対象であるドレンが通る領域に中和剤を隙間なく充填させることができる。そのため、中和装置５０は、ドレンが通過可能な程度において中和剤を高密度に充填することができ、中和剤の充填量を最小限に抑制することができる。
【００４１】
中和装置５０は、中和剤収容部５３が可撓性素材で形成されているため、給湯装置１の筐体内にあるスペースを有効利用したレイアウトとなるように中和剤収容部５３を屈曲させることができる。そのため、上述した中和装置５０を採用すれば、給湯装置１全体をコンパクト化することができる。
【００４２】
上記実施形態では、中和剤収容部５３を下向屈曲部６０、上向屈曲部６１、並びに、連接部６２を有する形状に屈曲させた構成を例示したが、本発明はこれに限定されるものではなく、ドレンなどの液体により水封状態とすることができる形状であれば、いかなる形状に屈曲させたものであってもよい。具体的には、上向屈曲部６１や連接部６２を持たない形状に屈曲させたり、下向屈曲部６０や、上向屈曲部６１、連接部６２と同様の形状の部分を複数設けた構成としてもよい。
【００４３】
中和装置５０において、排出部５２に対して接続される中和剤収容部５３の連接部６２は、図２などに示すようにほぼ水平な姿勢とすることが可能であるが、本発明はこれに限定されるものではなく、ドレンの流れ方向下流側に向かうにつれ上方に傾斜した状態としたり、下方に傾斜した姿勢としてもよい。なお、中和装置５０におけるドレンの滞留時間を長期化し、より確実にドレンを中和可能としたい場合は、連接部６２が上方に向けて傾斜した状態となるように設置されることが望ましい。
【００４４】
上記したように、中和装置５０は、中和剤収容部５３の中途、さらに具体的には上向屈曲部６１に補充口６３が設けられており、これを介して適宜上水を補充することで水封状態とすることができる構成とされている。そのため、中和装置５０によれば、排気部６を流れる燃焼ガスなどの気体が中和装置５０を介して漏洩するのを確実に防止することができる。
【００４５】
上記実施形態では、中和剤収容部５３は、両端部のネジが形成された部分を導入部５１や排出部５２の内周面に設けられたネジ溝にねじ込むことで接続されるものであったが、本発明はこれに限定されない。すなわち、導入部５１や排出部５２と中和剤収容部５３との接続形態は、いかなるものであってもよい。
【００４６】
上記実施形態では、中和剤収容部５３のほぼ全体をゴムなどの可撓性素材で形成した例を例示したが、本発明はこれに限定されるものではなく、中和剤収容部５３の一部が可撓性を有しない素材で形成されていてもよい。さらに詳細には、例えば図４に示すように、可撓性を有しない樹脂等で形成されたブロック状の本体７５に上述した導入部５１や中和剤収容部５３の上向屈曲部６１に相当するものを一体的に形成し、これに可撓性素材によって形成された中和剤収容部５３の下向屈曲部６０に相当するものや、連接部６２に相当するものを接続する構成としてもよい。かかる構成の中和装置５０についても、上記実施形態で示したものと同様に装置構成がシンプルであると共に、中和剤の充填が容易で、充填量を最小限に抑制することができる。
【図面の簡単な説明】
【００４７】
【図１】本発明の一実施形態に係る給湯装置の構成を示す正面図である。
【図２】本発明の一実施形態に係る中和装置の構成を示す正面図である。
【図３】図２に示す中和装置の断面斜視図である。
【図４】図２に示す中和装置の変形例を示す斜視図である。
【符号の説明】
【００４８】
１    潜熱回収型給湯装置（給湯装置）
２０    一次熱交換器
３０    二次熱交換器
５０    中和装置
５１    導入部
５２    排出部
５３    中和剤収容部
５６    水位センサ
６０    下向屈曲部
６１    上向屈曲部
【図１】
2010029811.tif 000003
【図２】
2010029811.tif 000004
【図３】
2010029811.tif 000005
【図４】
2010029811.tif 000006